(57)【特許請求の範囲】
【請求項１】
互いに連接した前面片と後面片とが折り畳まれることにより袋状となり、その後、前記前面片に連接したフラップ部が折り畳まれ、該フラップ部に塗布された粘着剤によって当該フラップ部が前記後面片に接着されることにより封緘される製袋封筒であって、
前記フラップ部は、配達証が分離可能に区画形成されており、前記配達証に対して前記前面片との連接側の領域と、前記前面片との連接側とは反対側の領域とのそれぞれに前記粘着剤が塗布されている製袋封筒。
【請求項２】
請求項１に記載の製袋封筒において、
前記前面片は、内部が視認可能となる窓部を有することを特徴とする製袋封筒。
【発明の詳細な説明】
【技術分野】
【０００１】
本発明は、周囲が折り畳まれることにより袋状となった製袋封筒に関する。
【背景技術】
【０００２】
従来より、重要な配達物を発送する場合等において、配達物が受取人に配達されたことを確認できる配達記録郵便が利用されている。このような配達記録郵便においては、受取人の住所や氏名等が記載されるとともに、受取人の受取印を押下するための領域が設けられた配達証が配達物に貼着され、配達物が受取人にて受け取られると、配達証に受取印が押下され、その後、この配達証が配達物から剥離されて配達人によって持ち帰られる。これにより、配達物が間違いなく受取人に配達されたことを確認可能としている。
【０００３】
このような配達証は、一般的に、配達物の受取人の住所や氏名等を記入するための宛先記入欄を有する宛先証用紙片と、受取印を押下するための領域を有する配達証用紙片とからなり、これらが配達物にそれぞれ貼着されることにより使用されることになる（例えば、特許文献１参照。）。
【特許文献１】特開２００１−８３８８０号公報
【発明の開示】
【発明が解決しようとする課題】
【０００４】
しかしながら、上述したような配達証においては、配達物に貼着されて使用されるため、配達物の表面において配達証の厚さ分だけの凹凸が生じ、それにより、配達証が貼着された配達物を郵便区分機にて区分けする場合、配達物が郵便区分機に引っ掛かり、正しく区分けされなくなってしまったり、郵便区分機内にて配達物が滞ってしまったりする虞れがある。
【０００５】
本発明は、上述したような従来の技術が有する問題点に鑑みてなされたものであって、周囲が折り畳まれることにより袋状となった製袋封筒において、その表面に凹凸を生じさせることなく配達証を付与することができる製袋封筒を提供することを目的とする。
【課題を解決するための手段】
【０００６】
上記目的を達成するために本発明は、
互いに連接した前面片と後面片とが折り畳まれることにより袋状となり、その後、前記前面片に連接したフラップ部が折り畳まれ、該フラップ部に塗布された粘着剤によって当該フラップ部が前記後面片に接着されることにより封緘される製袋封筒であって、
前記フラップ部は、配達証が分離可能に区画形成されており、前記配達証に対して前記前面片との連接側の領域と、前記前面片との連接側とは反対側の領域とのそれぞれに前記粘着剤が塗布されている。
【０００７】
また、前面片が、内部が視認可能となる窓部を有する構成とすることも考えられる。
【発明の効果】
【０００８】
以上説明したように本発明においては、周囲が折り畳まれることにより袋状となった製袋封筒であって、他の領域から分離可能に配達証が区画形成されている構成としたため、その表面に凹凸を生じさせることなく配達証を付与することができる。
【０００９】
また、内部が視認可能となる窓部を有するものにおいては、封入物を製袋封筒に封入した後に、配達証に記載された情報と封入物に記載された情報とのマッチングを行うことができる。
【発明を実施するための最良の形態】
【００１０】
以下に、本発明の実施の形態について図面を参照して説明する。
【００１１】
図１は、本発明の製袋封筒の実施の一形態を示す図であり、（ａ）は製袋封筒を構成する前面片側から見た図、（ｂ）は（ａ）に示した矢印Ｂ方向から見た図、（ｃ）は（ａ）に示したＡ−Ａ’断面図である。
【００１２】
本形態は図１に示すように、前面片３１０ａと後面片３１０ｃとが折り部３２０ｂにて折り畳まれ、さらに、前面片３１０ａの折り部３２０ｂと隣接する辺が折り部３１２ａ，３１２ｂとなって折り畳まれ、その領域が粘着剤３４０によって後面片３１０ｃと接着されて構成されている。また、前面片３１０ａの折り部３２０ｂとは反対側の辺が折り部３２０ａとなってこの折り部３２０ａを介してフラップ部３１０ｂが連接している。これにより、周囲が折り畳まれることによって袋状となった製袋封筒が形成されている。
【００１３】
また、前面片３１０ａには、この製袋封筒の内部が外部から視認可能となるような窓部３１１が形成されている。また、フラップ部３１０ｂには、配達証３３０ａ，３３０ｂがミシン目３３１によってフラップ部３１０ｂの他の領域から分離可能に区画形成されている。この２つの配達証３３０ａ，３３０ｂのうち、一方の配達証３３０ａは、この製袋封筒が受取人にて受け取られた場合に回収されるものであり、他方の配達証３３０ｂは製袋封筒とともに受取人に渡されるものである。これら配達証３３０ａ，３３０ｂは、この製袋封筒の受取人の住所や氏名等の宛先情報が印字あるいは記入されることになる。
【００１４】
図２は、図１に示した製袋封筒を見開いた状態を示す図であり、（ａ）は製袋封筒の外側となる面を示す図、（ｂ）は製袋封筒の内側となる面を示す図である。
【００１５】
図１に示した製袋封筒は図２に示すように、前面片３１０ａには、折り部３２０ａ，３２０ｂを介してフラップ部３１０ｂ及び後面片３１０ｃがそれぞれ連接しているとともに、折り部３２０ａ，３２０ｂに隣接する辺が折り部３１２ａ，３１２ｂとなってこの折り部３１２ａ，３１２ｂを介して接着部３１３ａ，３１３ｂが突出するように設けられている。この接着部３１３ａ，３１３ｂの、製袋封筒の外側となる面には、粘着剤３４０が塗布されており、接着部３１３ａ，３１３ｂが折り部３１２ａ，３１２ｂにて折り畳まれ、この粘着剤３４０によって後面片３１０ｃと接着されることにより、前面片３１０ａと後面片３１０ｃとで袋状となる。また、窓部３１１が形成された領域においては、製袋封筒の内側となる面に、窓部３１１を覆うようにフィルム３１４が貼着されており、それにより製袋封筒の内部が視認可能となりながらも、封入物が窓部３１１から脱落してしまうことがないような構成となっている。
【００１６】
また、フラップ部３１０ｂには、折り部３２０ａに沿う領域及び折り部３２０ａとは反対側の辺に沿う領域の、製袋封筒の内側となる面に、このフラップ部３１０ｂを後面片３１０ｃに接着して製袋封筒を封緘するための粘着剤３４０が塗布されており、この粘着剤３４０がそれぞれ塗布された領域の互いに対向する側に粘着剤３４０に沿うようにミシン目３３１が形成されている。そして、このミシン目３３１によって囲まれた領域に配達証３３０ａ，３３０ｂが設けられており、それにより、配達証３３０ａ，３３０ｂが、ミシン目３３１によってフラップ部３１０ｂの他の領域から分離可能に区画形成されている。また、配達証３３０ａと配達証３３０ｂとの境界部分にもミシン目３３１が形成されており、それにより、２つの配達証３３０ａ，３３０ｂが分離可能となっている。
【００１７】
上記のように構成された製袋封筒においては、配達証３３０ａ，３３０ｂがフラップ部３１０ｂの他の領域からミシン目３３１によって分離可能に区画形成されているので、配達証３３０ａ，３３０ｂが付与された製袋封筒の表面には配達証３３０ａ，３３０ｂによる凹凸は生じてはおらず、それにより、この製袋封筒を郵便区分機にて区分けする場合、製袋封筒が郵便区分機に引っ掛かり、正しく区分けされなくなってしまったり、郵便区分機内にて製袋封筒が滞ってしまったりすることがなくなる。また、フラップ部３１０ｂの折り部３２０ａと隣接する２つの辺が後面片３１０ｃと接着されていないため、この辺を摘むことにより、配達証３３０ａ，３３０ｂを容易に切り離して分離することができる。また、折り部３２０ａに沿う領域に粘着剤３４０が塗布され、その粘着剤３４０が塗布された領域の折り部３２０ａとは反対側に、配達証３３０ａ，３３０ｂを切り離して分離するためのミシン目３３１が形成されているため、フラップ部２１０ｂからミシン目３３１によって配達証３３０ａ，３３０ｂを切り離して分離した場合においても、この製袋封筒に封入された封入物が脱落してしまうことがない。
【００１８】
なお、本形態においては、前面片３１０ａに窓部３１１が設けられ、それにより、製袋封筒に封入された封入物が外部からも視認可能としているが、窓部が設けられていないものについても本発明を適用できることは言うまでもない。その場合、配達証に宛先情報が印刷される際に同時に製袋封筒に宛先情報を印刷することが考えられる。
【図面の簡単な説明】
【００１９】
【図１】本発明の製袋封筒の実施の一形態を示す図であり、（ａ）は製袋封筒を構成する前面片側から見た図、（ｂ）は（ａ）に示した矢印Ｂ方向から見た図、（ｃ）は（ａ）に示したＡ−Ａ’断面図である。
【図２】図１に示した製袋封筒を見開いた状態を示す図であり、（ａ）は製袋封筒の外側となる面を示す図、（ｂ）は製袋封筒の内側となる面を示す図である。
【符号の説明】
【００２０】
３１０ａ    前面片
３１０ｂ    フラップ部
３１０ｃ    後面片
３１１    窓部
３１２ａ，３１２ｂ，３２０ａ，３２０ｂ    折り部
３１３ａ，３１３ｂ    接着部
３１４    フィルム
３３０ａ，３３０ｂ    配達証
３３１    ミシン目
【図１】
0004831983.tif 000002
【図２】
0004831983.tif 000003